(57)【特許請求の範囲】
【請求項１】
複数のパスを介してそれぞれ受信された複数の信号成分を複数のグループに分けるグループ分け手段と、
前記複数のグループにおいて、最遅延グループ以外の他のグループを時間軸上において遅延させる遅延手段と、
遅延後の前記他のグループの信号成分と前記最遅延グループの信号成分とを合成する合成手段と、
合成後の信号成分に対して等化処理を施す等化手段と、
を具備する無線受信装置において、
前記遅延手段は、時間軸上において、前記他のグループを遅延させて、前記合成後の信号成分の最大遅延時間を前記等化処理によって補償可能な最大遅延時間に一致させる、
ことを特徴とする無線受信装置。
【請求項２】
前記遅延手段は、前記合成後の信号成分の最大遅延時間が前記等化手段によって補償可能な最大遅延時間よりも短い場合にのみ、時間軸上において、前記他のグループの先頭信号成分と前記最遅延グループの先頭信号成分とが互いにずれるように前記他のグループを遅延させる、
ことを特徴とする請求項１記載の無線受信装置。
【請求項３】
複数のパスを介してそれぞれ受信された複数の信号成分を複数のグループに分け、
前記複数のグループにおいて、最遅延グループ以外の他のグループを時間軸上において遅延させ、
遅延後の前記他のグループの信号成分と前記最遅延グループの信号成分とを合成し、
合成後の信号成分に対して等化処理を施す、
等化処理方法において、
時間軸上において、前記他のグループを遅延させて、前記合成後の信号成分の最大遅延時間を前記等化処理によって補償可能な最大遅延時間に一致させる、
ことを特徴とする等化処理方法。
【発明の詳細な説明】
【０００１】
【発明の属する技術分野】
本発明は、無線受信装置及び等化処理方法に関し、特に等化器のタップ係数を適応アルゴリズムに基づいて時々刻々更新する無線受信装置及び等化処理方法に関する。
【０００２】
【従来の技術】
従来の受信装置は、等化処理の前に、時間軸上に分散する受信信号成分を等化器の補償可能な範囲内で且つなるべく時間的に短い範囲内に集束させる。
【０００３】
以下、図５から図１０を用いて、従来の受信装置について説明する。図５は、従来の受信装置の概略構成を示す要部ブロック図であり、図６は、従来の受信装置の複数アレイ合成部の概略構成を示す要部ブロック図であり、図７は、従来の受信装置の伝搬路推定部の概略構成を示す要部ブロック図であり、図８は、遅延プロファイルの一例を模式図であり、図９は、従来の受信装置のビタビ等化器の概略構成を示す要部ブロック図であり、図１０は、従来の受信装置のレプリカ生成部の概略構成を示す要部ブロック図である。
【０００４】
まず、図５を用いて、受信信号の全体構成について説明する。図５において、アンテナ５０１は、無線信号を受信し、複数アレイ合成部５０２は、各アンテナによって受信された受信信号をアレイ合成する処理系統をアンテナ数と同数有し、アンテナ毎にアレイ合成された結果を更に合成し、出力する。詳しくは後述する。
【０００５】
タイミング制御部５０３は、複数アレイ合成部５０２内にアンテナ毎に設けられた受信処理部からシンボル同期タイミングを獲得する。なお、シンボル同期タイミングはいずれか一つの受信処理部から獲得できる。
【０００６】
伝搬路推定部５０４は、複数アレイ合成部５０２内にアンテナ毎に設けられた受信処理部の出力から遅延プロファイルを作成し、時間軸上における受信信号成分の分散状況を把握し、これら受信信号成分を後述するビタビ等化器５０６の補償可能な範囲内に収めるためにどのように時間調整を行えばよいかを算出する。伝搬路推定は、いずれか一つの受信処理部出力から獲得できる。詳しくは後述する。
【０００７】
タップ係数推定部５０５は、受信信号、レプリカ信号、レプリカ信号と受信信号との差分、及びシンボル同期タイミングから、レプリカ信号と受信信号との差分の２乗平均値を最小とするための係数、すなわち最小自乗法に基づいた重み付け係数を推定し、この推定された係数をタップ係数としてビタビ等化器５０６内のレプリカ生成部に出力する。詳しくは後述する。
【０００８】
ビタビ等化器５０６は、レプリカ信号を生成し、時間調整された受信信号成分からレプリカ信号を減算して得た差分を尤度情報として、受信信号に対してビタビアルゴリズムを用いた判定を行う。詳しくは後述する。
【０００９】
次いで、図６を用いて、複数アレイ合成部５０２の構成を説明する。ここでは、例えば、アレイ素子が２つ、パスグループが２つ、の場合について説明するが、アレイ素子数及びパスグループ数は任意である。
【００１０】
図６において、受信処理部６０１は、各アンテナからの受信信号をそれぞれ受信処理し、時間調整部６０２は、伝搬路推定部５０４の出力に基づいて受信処理後の受信信号を遅延させ、フィード・フォーワード・フィルタ（ＦＦＦ）６０３は、タップ係数推定部５０５から指示されたタップ係数に基づいて重み付け処理を行い、合成部６０４は、各アレイ・各パスのＦＦＦ処理後の信号をすべて合成する。
【００１１】
次いで、図７を用いて、伝搬路推定部５０４の構成を説明する。図７において、パワー算出部７０１は、受信信号成分の遅延プロファイルを生成する。遅延プロファイルの一例を図８（ａ）に示す。
【００１２】
最大値検出部７０２は、時間軸上に分散する信号成分のパワーの中から最大値を検出し、しきい値設定部７０３は、パワーの最大値に基づいて、受信状態が良好なパスのみを選択するためのしきい値を設定する。しきい値の定め方は任意であり、例えば、最大値の何％分という決め方や、最大値から所定値を減算するという決め方等が考えられる。しきい値設定時の遅延プロファイルを図８（ｂ）に示す。
【００１３】
抽出部７０４は、受信レベルがしきい値設定部７０３によって設定されたしきい値を上回るパスのみを抽出する。パス抽出後の遅延プロファイルを図８（ｃ）に示す。
【００１４】
グループ分け部７０５は、抽出されたパスをグループ（パス群）に分ける。このグループ分けは、ビタビ等化器５０６における補償可能な最大遅延時間を考慮した上で、ビタビアルゴリズムの状態数がなるべく小さくなるように行われる。
【００１５】
例えば、図８（ｃ）において、パス抽出後の最遅延成分の遅延時間は６Ｔである。ここで、ビタビ等化器５０６において補償可能な最大遅延時間を４Ｔ遅延までとすると、図８（ｃ）に示すような遅延プロファイルを持つ受信信号を時間調整なしにビタビ等化器５０６に入力できない。
【００１６】
そこで、ここでは、３Ｔ遅延間隔毎（４成分毎）に１グループを定めるものとする。すると、ここでは、図８（ｄ）に示すように、グループＡとグループＢの２グループを設定することができる。後に時間調整部６０２においてこれらグループが時間調整された場合、最遅延成分の遅延時間は３Ｔであるため、４Ｔ遅延まで補償可能なビタビ等化器５０６において充分に等化処理できる状態となる。
【００１７】
又、４Ｔ遅延まで補償可能なビタビ等化器５０６に最遅延成分の遅延時間は３Ｔである受信信号成分群が入力されると、変調方式が例えばＱＰＳＫであれば、ビタビアルゴリズムにおける状態数が４3＝６４となる。この状態数は少ないほど演算量が少なく済み、処理速度が向上する。よって、グループ分け部７０５におけるグループ分けは、しきい値を超えた受信信号成分の分散状況の許す範囲で可能な限り少ない遅延時間間隔毎にグループを定め、状態数が少なくなるようにする。なお、グループ数は２とは限られず、任意である。
【００１８】
時間調整量検出部７０６は、グループ分け結果を受け、最遅延グループに他のグループを合成するためには各グループをそれぞれどの程度遅延させるか、その時間調整量を検出する。ここで、例えば、図８（ｄ）では、グループは全部で２つであるため、最遅延グループであるグループＢにグループＡを合成させるためのグループＡの時間調整量τを検出し、時間調整部６０２に伝達する。すなわち、時間調整量τは、各グループの先頭成分の時間軸上での距離である。なお、最遅延グループ以外のグループが複数ある場合には、グループ毎に時間調整量τを検出する。
【００１９】
次いで、図９を用いて、ビタビ等化器５０６の構成を説明する。図９において、減算器９０１は、受信信号からレプリカ信号を減算し、誤差パワー算出部９０２は、減算器９０１における減算結果から誤差分のパワーを算出する。
【００２０】
ビタビ演算部９０３は、例えば最尤系列推定を行うＭＬＳＥ回路であり、算出された誤差分のパワーの値を尤度情報として受信信号の判定を行う。
【００２１】
メモリ９０４は、既知信号を保持し、スイッチ９０５は、タイミング制御部５０３の出力であるシンボル同期タイミングに基づいて、既知信号を用いたタップ係数推定時にはメモリ９０４に格納された既知信号をレプリカ生成部９０６に出力し、それ以外の時はビタビ演算部９０３の出力であるシンボル系列候補をレプリカ生成部９０６に出力する。
【００２２】
レプリカ生成部９０６は、既知信号又はシンボル系列候補を伝搬路推定部５０４の出力に基づいて遅延させ、タップ係数推定部５０５によって推定されたタップ係数を乗じ、レプリカ信号を生成する。詳しくは後述する。
【００２３】
次いで、図１０を用いて、レプリカ生成部９０６の構成について説明する。図１０において、遅延部１００１〜１００４は、各サンプリングタイミングにおける受信信号成分を取り込むために入力信号を遅延させるものである。遅延部の数は任意であるが、ここでは４つとするため、すなわち最大で４Ｔ遅延波まで取り込むことが可能であることを示している。
【００２４】
スイッチ１００５〜１００８は、伝搬路推定部５０４の出力に基づいて開閉が制御される。例えば、取り込むべき最大遅延が２Ｔ遅延であれば、遅延部は２つだけ稼動させればよいため、遅延部１００１及び遅延部１００２が用いられるようにスイッチ１００５及び１００６は閉じられ、スイッチ１００７及びスイッチ１００８は開放される。
【００２５】
乗算器１００９〜１０１３は、取り込まれた信号成分それぞれに、タップ係数推定部５０５によって推定されたタップ係数を乗じる。重み付け処理された各遅延波は、加算器１０１４によって合成され、レプリカ信号が生成される。
【００２６】
ここで、タップ係数は、受信信号とレプリカ信号との差の２乗平均を最小にするように推定されるため、すべてのタップ係数がタップ係数推定部５０５によって自律的に推定される構成とするとすべてのタップ係数が０に収束してしまい、ビタビ等化器の機能が没却されてしまう。
【００２７】
そこで、通常は、先行波に対するタップである乗算器１００９におけるタップ係数を固定値（例えば１）と定め、先行波のタップ係数を１とした場合の１Ｔ遅延波〜４Ｔ遅延波への最適なタップ係数をタップ係数推定部５０５において推定し、乗算器１０１０〜１０１３によって乗じるようにする。
【００２８】
なお、図１０は、従来の受信装置のレプリカ生成部において、先行波へのタップ係数を固定値１とすることを概念的に表わしたものであり、上記構成に限られるわけではない。固定値は、定数を固定的に定めるのであればどのような値でも用いることができるが、通常は最低限の処理で済む「１」が用いられる場合が多い。
【００２９】
このように、従来の受信装置は、時間軸上に分散した受信信号成分を等化器の補償可能な範囲内で且つなるべく時間的に短い範囲内に集束させ、ビタビアルゴリズムを用いた判定処理時の状態数を減らすことによって、演算量の削減及び処理速度の向上が図られている。
【００３０】
【発明が解決しようとする課題】
しかしながら、従来の受信装置においては、演算量削減を優先するために充分なパスダイバーシチ効果を得られないという問題がある。
【００３１】
すなわち、受信装置が、例えば、最大で５Ｔ遅延波まで取り込むことができるようにレプリカ生成部に遅延素子を５つ設けているとすると、先行波も含め最大で６パス分のパスダイバーシチ効果を得ることができる。しかしながら、従来の受信装置は、演算量を削減し、処理速度向上を図るため、ビタビアルゴリズムにおける状態数がなるべく小さくなるように時間調整を行い、受信信号成分をなるべく短い時間範囲内に収めるようにするため、常に６パス分のパスダイバーシチ効果を得られるとは限られない。むしろ、なるべく５Ｔ遅延波まで取り込まないように制御される。
【００３２】
本発明はかかる点に鑑みてなされたものであり、受信信号成分の分散状況に因らず、常に装置構成上可能な限り最多のパス数を用いたパスダイバーシチを行う無線受信装置及び等化処理方法を提供することを目的とする。
【００３３】
【課題を解決するための手段】
本発明の骨子は、時間軸上における受信信号成分の分散状況に応じて、ダイバーシチ合成時にレプリカ生成部が有する遅延部が常にすべて用いられるように受信信号成分の時間調整を行うことである。
【００３４】
【発明の実施の形態】
本発明の第１の態様に係る等化処理装置は、時間軸上に分散した所定数の信号成分を重み付けした上で合成する信号成分合成手段と、時間軸上に分散した受信信号成分の中で任意のしきい値を上回る受信レベルを有する有効受信信号成分が前記信号成分合成手段において合成可能な範囲に収まるように受信信号成分を集束させる受信信号成分集束手段と、前記有効受信信号成分中の最遅延成分のサンプリングタイミングが前記信号成分合成手段において合成可能な範囲中の最遅延時間に一致するように前記受信信号成分集束手段を制御する集束制御手段と、を具備する構成を採る。
【００３５】
本発明の第２の態様に係る等化処理装置は、第１の態様において、前記集束制御手段は、前記信号成分合成手段の有する遅延素子と同数の信号成分が生成されるように前記信号成分集束手段を制御する構成を採る。
【００３６】
これらの構成によれば、時間軸上における受信信号成分の分散状況に応じて、ダイバーシチ合成時にレプリカ生成部が有する遅延部が常にすべて用いられるように受信信号成分の時間調整を行うため、常に装置構成上可能な限り最多のパス数を用いたパスダイバーシチを行うことができる。
【００３７】
本発明の第３の態様に係る受信装置は、第１の態様又は第２の態様における等化処理装置を具備する構成を採る。
【００３８】
この構成によれば、時間軸上における受信信号成分の分散状況に応じて、ダイバーシチ合成時にレプリカ生成部が有する遅延部が常にすべて用いられるように受信信号成分の時間調整を行うため、常に装置構成上可能な限り最多のパス数を用いたパスダイバーシチを行うことができるため、パスダイバーシチ効果が向上し、誤り率が向上する。
【００３９】
本発明の第４の態様に係る受信装置は、第３の態様において、任意の到来方向からの無線信号のみを受信する複数のアダプティブ・アレイ・アンテナと、各アダプティブ・アレイ・アンテナによって受信された信号を重み付けした上で加算するアレイ受信部と、を有する構成を採る。
【００４０】
この構成によれば、アダプティブ・アレイ・アンテナの導入により更新すべきタップ係数が増加することでパラメータ推定誤差が増加したとしても、パスダイバーシチ効果が向上するため、誤り率が向上する。
【００４１】
本発明の第５の態様に係る通信端末装置は、第３の態様又は第４の態様における受信装置を具備する構成を採る。
【００４２】
本発明の第６の態様に係る基地局装置は、第５の態様における通信端末装置と無線通信を行う構成を採る。
【００４３】
本発明の第７の態様に係る基地局装置は、第３の態様又は第４の態様における受信装置を具備する構成を採る。
【００４４】
本発明の第８の態様に係る通信端末装置は、第７の態様における基地局装置と無線通信を行う構成を採る。
【００４５】
これらの構成によれば、時間軸上における受信信号成分の分散状況に応じて、ダイバーシチ合成時にレプリカ生成部が有する遅延部が常にすべて用いられるように受信信号成分の時間調整を行うため、常に装置構成上可能な限り最多のパス数を用いたパスダイバーシチを行うことができるため、パスダイバーシチ効果が向上し、誤り率が向上する。
【００４６】
本発明の第９の態様に係る等化処理方法は、時間軸上に分散した所定数の信号成分を重み付けした上で合成する信号成分合成工程と、時間軸上に分散した受信信号成分の中で任意のしきい値を上回る受信レベルを有する有効受信信号成分が前記信号成分合成工程において合成可能な範囲に収まり、且つ前記有効受信信号成分中の最遅延成分のサンプリングタイミングが前記信号成分合成工程において合成可能な範囲中の最遅延時間に一致するように受信信号成分を集束させる受信信号成分集束工程と、を具備するようにした。
【００４７】
この方法によれば、時間軸上における受信信号成分の分散状況に応じて、ダイバーシチ合成時にレプリカ生成部が有する遅延部が常にすべて用いられるように受信信号成分の時間調整を行うため、常に装置構成上可能な限り最多のパス数を用いたパスダイバーシチを行うことができる。
【００４８】
以下、本発明の一実施の形態について、図面を参照して詳細に説明する。
【００４９】
以下、図１から図４を用いて、本実施の形態に係る装置について説明する。図１は、本発明の一実施の形態に係る受信装置の概略構成を示す要部ブロック図であり、図２は、本発明の一実施の形態に係る受信装置の時間調整量制御部の概略構成を示す要部ブロック図であり、図３は、本発明の一実施の形態に係る受信装置のレプリカ生成部の概略構成を示す要部ブロック図であり、図４は、受信信号の遅延プロファイルの一例を示す模式図である。
【００５０】
まず、図１を用いて、受信信号の全体構成について説明する。図１において、アンテナ１０１は、無線信号を受信し、複数アレイ合成部１０２は、各アンテナによって受信された受信信号をアレイ合成する処理系統をアンテナ数と同数有し、アンテナ毎にアレイ合成された結果を更に合成し、出力する。複数アレイ合成部１０２の構成及び機能は、従来の受信装置の複数アレイ合成部と同様であるため、詳しい説明は省略する。
【００５１】
タイミング制御部１０３は、複数アレイ合成部１０２内にアンテナ毎に設けられた受信処理部の出力からシンボル同期タイミングを獲得する。なお、シンボル同期タイミングはいずれか一つの受信処理部出力から獲得できる。
【００５２】
伝搬路推定部１０４は、複数アレイ合成部１０２内にアンテナ毎に設けられた受信処理部の出力から遅延プロファイルを作成し、伝搬路推定を行う。伝搬路推定部１０４の構成及び機能は、従来の受信装置の伝搬路推定部と同様であるため、詳しい説明は省略する。図４（ａ）に伝搬路推定部１０４の一出力例を示す。なお、伝搬路推定もいずれか一つの受信処理部出力から獲得できる。
【００５３】
時間調整量制御部１０５は、伝搬路推定部１０４によって算出された時間調整量に基づいて受信信号成分を集束させた場合に合成信号成分が何成分生成されるかを検出し、後述するビタビ等化器１０７内のレプリカ生成部が有する遅延素子の数と比較し、異なる場合は一致するように複数アレイ合成部１０２内の時間調整部に指示する時間調整量を再設定する。詳しくは後述する。
【００５４】
タップ係数推定部１０６は、受信信号、レプリカ信号、レプリカ信号と受信信号との差分、及びシンボル同期タイミングから、レプリカ信号と受信信号との差分の２乗平均値を最小とするための係数、すなわち最小自乗法に基づいた重み付け係数を推定し、この推定された係数をタップ係数として後述するビタビ等化器１０７内のレプリカ生成部に出力する。詳しくは後述する。
【００５５】
ビタビ等化器１０７は、レプリカ信号を生成し、時間調整され合成された受信信号成分からレプリカ信号を減算して得た差分を尤度情報として、受信信号に対してビタビアルゴリズムを用いた判定を行う。詳しくは後述する。
【００５６】
次いで、図２を用いて、時間調整量制御部１０５について説明する。図２において、仮合成部２０１は、伝搬路推定部１０４によって算出された時間調整量、すなわち従来通りのなるべく演算量を削減する方向の時間調整量に基づいて受信信号成分を集束させ、合成する。
【００５７】
分散状況検出部２０２は、受信信号成分の分散状況を検出し、更に仮合成部２０１における合成結果から合成信号成分が何成分あるかを計数する。
【００５８】
時間調整量再設定部２０３は、受信信号成分の分散状況と、伝搬路推定部１０４の指示通りに受信信号成分を集束させた場合に生成される合成信号成分の成分数と、ビタビ等化器１０７において補償可能な最大遅延量とから伝搬路推定部１０４の指示通りに受信信号成分を集束させた場合にビタビ等化器１０７内のレプリカ生成部の遅延素子がすべて用いられるか否か、すなわち合成後の受信信号成分の成分数がレプリカ生成部の遅延素子の数と一致するか否かを判定し、一致しないならば、時間調整量がいくらであれば一致するかを算出し、複数アレイ合成部１０２内の時間調整部に出力する。
【００５９】
言い換えれば、時間調整量再設定部２０３は、抽出後の受信信号成分中の最遅延成分のサンプリングタイミングがビタビ等化器１０７における補償可能が最大遅延時間に一致するような時間調整量を算出する。
【００６０】
次いで、図３を用いて、ビタビ等化器１０７内のレプリカ生成部について説明する。図３においては、遅延部３０１〜３０４は、各サンプリングタイミングにおける受信信号成分を取り込むために入力信号を遅延させるものである。遅延部の数は任意であるが、ここでは４つとするため、すなわち最大で４Ｔ遅延波まで取り込むことが可能であることを示している。
【００６１】
乗算器３０５〜３０９は、取り込まれた信号成分それぞれに、タップ係数推定部１０６によって推定されたタップ係数を乗じる。なお、すべてのタップ係数が０に収束しないように先行波に対するタップ係数は固定値（ここでは１）とする。重み付け処理された各遅延波は、加算器３１０によって合成され、レプリカ信号が生成される。
【００６２】
図３に示すように本発明に係るレプリカ生成部は、常にすべての遅延部３０１〜３０４が用いられるため、図１０に示し説明したような従来のレプリカ生成部に設けられていたスイッチ１００５〜１００８が不要となる。
【００６３】
次いで、上記構成を有する受信装置の動作について説明する。
【００６４】
伝搬路において様々な歪みを受けてアンテナ１０１によって受信された受信信号は、複数アレイ合成部１０２によって受信処理され、タイミング制御部１０３によってシンボル同期タイミングが検出される。
【００６５】
受信処理された受信信号は、伝搬路推定部１０４によって、伝搬路が推定され、遅延プロファイルにおいてパワーが任意のしきい値を超える信号成分について等化器の遅延補償の範囲内に収めるには遅延波をどの程度時間調整すればよいかが推定される。
【００６６】
推定された時間調整量は、時間調整量制御部１０５によって、ビタビ等化器１０７内のレプリカ生成部の有する遅延素子がすべて用いられるように修正される。
【００６７】
伝搬路推定部１０４によって推定された時間調整量を図４（ａ）に示す。ここでは、グループＡとグループＢを合成するために、グループＡの先頭成分とグループＢの先頭成分の時間軸上の距離が時間調整量τとして推定されている。
【００６８】
このような推定結果は、時間調整量制御部１０５内の仮合成部２０１によって、時間調整量τに基づいて各グループを合成する。合成した様子を図４（ｂ）に示す。この合成結果は、分散状況検出部２０２によって、最遅延波が何遅延なのかが検出され、レプリカ生成部の遅延素子の数と大小比較される。ここでは、仮合成の結果、最大遅延が３Ｔであり、レプリカ生成部の遅延部３０１〜３０４の数は４であることから、このままでは遅延部３０４が用いられず、充分にパスダイバーシチが得られないとして、複数アレイ合成部１０２内の時間調整部に指示する時間調整量の再設定が必要と判断される。
【００６９】
再設定が必要と判断されると、時間調整量τは時間調整量再設定部２０３によって単位遅延時間Ｔが加減算され、合成された信号成分の最大遅延がレプリカ生成部における遅延素子の数と一致するための時間調整量τ’が算出される。この場合、τ’＝τ−Ｔとすると、図４（ｃ）に示すように一致させることができるため、この新たな時間調整量τ’が複数アレイ合成部１０２内の時間調整部に出力される。
【００７０】
受信処理後の受信信号は、時間調整量制御部１０５の出力である修正済みの時間調整量に基づいて時間調整され、各サンプリングタイミングにおいてアレイ合成される。
【００７１】
ビタビ等化器１０７によって算出された受信信号とレプリカ信号との差分は、タップ係数推定部１０６に伝達され、受信信号とレプリカ信号との差の２乗平均が最小となるように、新たなタップ係数が推定され、ビタビ等化器１０７に伝達され、ビタビ等化器１０７内のレプリカ生成部におけるタップ係数が更新される。
【００７２】
このように、本実施の形態によれば、時間軸上における受信信号成分の分散状況に応じて、ダイバーシチ合成時にレプリカ生成部が有する遅延部が常にすべて用いられるように受信信号成分の時間調整を行うため、常に装置構成上可能な限り最多のパス数を用いたパスダイバーシチを行うことができる。
【００７３】
なお、上記実施の形態においては、アダプティブ・アレイ・アンテナを複数系列用いる構成について説明したが、本発明はこの条件に限定されるものではなく、アダプティブ・アレイ・アンテナを一系列のみ用いる場合でも、アダプティブ・アレイ・アンテナを用いず通常のアンテナを用いる場合でも、適用することができる。
【００７４】
又、本発明の実施においては、受信信号成分の受信レベルに応じて、レプリカ信号生成時の固定タップ位置を可変とすることも可能である。
【００７５】
【発明の効果】
以上説明したように、本発明によれば、常に装置構成上可能な限り最多のパス数を用いたパスダイバーシチを行うことができるため、パスダイバーシチ効果が向上し、誤り率を向上させることができる。
【図面の簡単な説明】
【図１】本発明の一実施の形態に係る受信装置の概略構成を示す要部ブロック図
【図２】本発明の一実施の形態に係る受信装置の時間調整量制御部の概略構成を示す要部ブロック図
【図３】本発明の一実施の形態に係る受信装置のレプリカ生成部の概略構成を示す要部ブロック図
【図４】受信信号の遅延プロファイルの一例を示す模式図
【図５】従来の受信装置の概略構成を示す要部ブロック図
【図６】従来の受信装置の複数アレイ合成部の概略構成を示す要部ブロック図
【図７】従来の受信装置の伝搬路推定部の概略構成を示す要部ブロック図
【図８】遅延プロファイルの一例を模式図
【図９】従来の受信装置のビタビ等化器の概略構成を示す要部ブロック図
【図１０】従来の受信装置のレプリカ生成部の概略構成を示す要部ブロック図
【符号の説明】
１０５  時間調整量制御部
２０３  時間調整量再設定部
【図１】
0003739597.tif 000002
【図２】
0003739597.tif 000003
【図３】
0003739597.tif 000004
【図４】
0003739597.tif 000005
【図５】
0003739597.tif 000006
【図６】
0003739597.tif 000007
【図７】
0003739597.tif 000008
【図８】
0003739597.tif 000009
【図９】
0003739597.tif 000010
【図１０】
0003739597.tif 000011